(57)【要約】      （修正有）【課題】本革本来の質感と高い伸縮性とを両立させた本革ベルトを提供する。【解決手段】使用者の腹回りに装着される本革製のベルト本体１１と、ベルト本体の一端部に着脱自在に取付けられるバックル部材と、を有する本革ベルトであって、ベルト本体は、表皮革１２と裏皮革１３との間に、ゴム製の芯材１４を有し、芯材は、複数本の紐状体１５で構成され、複数本の紐状体は、ベルト本体の幅方向に並べて設けられるとともに、ベルト本体の長さ方向に沿って延びており、表皮革及び裏皮革は、クロム鞣し及びタンニン鞣しを併用した鞣し加工が施されている。【選択図】図３
0003225616.tif 000002
【実用新案登録請求の範囲】
【請求項１】
使用者の腹回りに装着される本革製のベルト本体と、当該ベルト本体の一端部に着脱自在に取付けられるバックル部材と、を有する本革ベルトであって、
前記ベルト本体は、表皮革と裏皮革との間に、ゴム製の芯材を有し、
前記芯材は、複数本の紐状体で構成され、
前記複数本の紐状体は、前記ベルト本体の幅方向に並べて設けられるとともに、前記ベルト本体の長さ方向に沿って延びて配設されており、
前記表皮革及び前記裏皮革は、クロム鞣し及びタンニン鞣しを併用した鞣し加工が施されていることを特徴とする本革ベルト。
【請求項２】
前記表皮革及び前記裏皮革は、オイルレザーであることを特徴とする請求項１記載の本革ベルト。
【請求項３】
前記前記裏皮革の表面にＰＶＣコーティングが施されていることを特徴とする請求項１または２のいずれか１項に記載の本革ベルト。
【考案の詳細な説明】
【技術分野】
【０００１】
本考案は伸縮性を有する本革ベルトに関する。
【背景技術】
【０００２】
洋服には、デザイン性に加えて、着やすさ、快適さが求められ、ストレッチ性を有することが重要視されている。本来伸びてはいけない腰ベルトについても、体型の変化に追従し得るようにストレッチ性を持たせた製品が数多く実用化されている（特許文献１〜４参照）。
【先行技術文献】
【特許文献】
【０００３】
【特許文献１】実用新案登録第３２２１７３１号公報
【特許文献２】実用新案登録第３２０８５４９号公報
【特許文献３】特開平１１-６１５３７号公報
【特許文献４】特開平８-３０２５１１号公報
【考案の概要】
【考案が解決しようとする課題】
【０００４】
しかし、スーツに欠かせない上質な本革ベルトで体型の変化に追従し得る十分なストレッチ性を有するものは実用化されていない。本革本来の質感と高い伸縮性とを両立させることは難しいからである。
【０００５】
そこで本考案は、本革本来の質感と高い伸縮性とを両立させた本革ベルトを提供する。
【課題を解決するための手段】
【０００６】
上記課題を解決するために、請求項１の本革ベルトは、使用者の腹回りに装着される本革製のベルト本体と、当該ベルト本体の一端部に着脱自在に取付けられるバックル部材と、を有する本革ベルトであって、前記ベルト本体は、表皮革と裏皮革との間に、ゴム製の芯材を有し、前記芯材は、複数本の紐状体で構成され、前記複数本の紐状体は、前記ベルト本体の幅方向に並べて設けられるとともに、前記ベルト本体の長さ方向に沿って延びて配設されており、前記表皮革及び前記裏皮革は、クロム鞣し及びタンニン鞣しを併用した鞣し加工が施されていることを特徴とする。
【０００７】
上記のように構成された本革ベルトは、クロム鞣し及びタンニン鞣しを併用した鞣し加工を施した表皮革及び裏皮革を採用したことにより、本革本来の質感を損なうことなく、表皮革及び裏皮革をゴム製の芯材の伸縮に追従させることができる。
【０００８】
請求項２の本革ベルトは、請求項１の本革ベルトにおいて、前記表皮革及び前記裏皮革は、オイルレザーであることを特徴とする。
【０００９】
上記構成により、表皮革及び裏皮革の伸縮性がより向上する。
【００１０】
請求項３の本革ベルトは、請求項１または２の本革ベルトにおいて、前記裏皮革の表面にＰＶＣコーティングが施されていることを特徴とする。
【００１１】
上記構成により、表皮革及び裏皮革の耐久性が向上する。
【考案の効果】
【００１２】
請求項１の考案によれば、クロム鞣し及びタンニン鞣しを併用した鞣し加工を施した表皮革及び裏皮革を採用したことにより、本革本来の質感を損なうことなく、表皮革及び裏皮革をゴム製の芯材の伸縮に追従させることができるので、本革本来の質感と高い伸縮性とを両立させた、十分なストレッチ性を有する本革ベルトを実現できる。
【００１３】
請求項２の考案によれば、表皮革及び裏皮革の伸縮性がより向上するので、より高いストレッチ性を有する本革ベルトを実現できる。
【００１４】
請求項３の考案によれば、表皮革及び裏皮革の耐久性が向上するので、耐久性が高く十分なストレッチ性を有する本革ベルトを実現できる。
【図面の簡単な説明】
【００１５】
【図１】本考案の本革ベルトの一実施形態を示す平面図である。
【図２】図１に示す本革ベルトのベルト本体を概念的に示す斜視図である。
【図３】図２に示すベルト本体の構造を示す分解斜視図である。
【考案を実施するための形態】
【００１６】
以下、添付図面を参照して、一実施形態の本革ベルトについて説明する。
【００１７】
［構成］
図１に示すように、一実施形態の本革ベルト１０は、本革製のベルト本体１１と、ベルト本体１１の一端部１１ａに着脱自在に取付けられるフリーサイズ仕様のバックル部材１６と、を有する。ベルト本体１１の他端部１１ｂ側には、複数の孔１８が設けられている。
【００１８】
図２および図３に示すように、ベルト本体１１は、使用者の腹回りに装着するための十分な長さ、すなわち必要長さ以上のある程度の余剰部を有するように裁断した表皮革１２と裏皮革１３との間に、芯材１４を挟み込み、その周縁部を縫着糸１７により縫製加工することにより全体を一体化させて構成される。
【００１９】
芯材１４は、天然ゴム製の複数本の紐状体１５で構成される。紐状体１５は、ベルト本体１１の幅方向に並べて設けられるとともに、ベルト本体１１の長さ方向に沿って延びている。
【００２０】
表皮革１２及び裏皮革１３には、牛革にオイルを含浸させたオイルレザーが使用され、クロム鞣し及びタンニン鞣しを併用した鞣し加工が施されている。本実施の形態にあっては、裏皮革１３の表面には、耐久性および防汚性を高めるべくＰＶＣコーティングが施されている。
【００２１】
［作用・効果］
上記のように構成された本革ベルト１０は、クロム鞣し及びタンニン鞣しを併用した鞣し加工を施した表皮革１２及び裏皮革１３を採用したことにより、本革本来の質感を損なうことなく、表皮革１２及び裏皮革１３を天然ゴム製の芯材１４の伸縮に追従させることができる。一般的に皮革ベルトは裏皮革が伸びにくい構造になっているが、この本革ベルト１０は、表皮革１２及び裏皮革１３が共に伸縮性を有しており、これにより、体型の変化に追従し得る十分なストレッチ性を有している。
【００２２】
また、この本革ベルト１０は、表皮革１２及び裏皮革１３にオイルレザーを採用するとともに、クロム鞣し及びタンニン鞣しを併用した鞣し加工を施すことで、これまでの本革ベルトでは達成されたことのない高い伸縮性を獲得している。具体的には、ベルト全体で長さ方向に約４ｃｍ伸びるという、一般的な本革ベルトでは想像できない程の伸縮性を発揮する。これにより、この本革ベルト１０は、見た目は高級感のある本革ベルトでありながら、さりげなく伸び縮みし、着け心地がとても楽という極めて有利な特性を有する。
【００２３】
なお、本考案は、上記実施形態に限定されない。たとえば、本実施の形態にあっては、裏皮革１３の表面にＰＶＣコーティングを施しているが、ＰＶＣコーティングは必須の構成要素ではない。
【００２４】
また、伸縮性を有するものであれば様々な皮革を使用することが可能であり、表皮革１２及び裏皮革１３として、牛革以外の本革を使用することも可能である。また、表皮革１２にＰＶＣコーティングを施すように構成してもよく、上記実施の形態に限定されない。
【符号の説明】
【００２５】
１０  本革ベルト
１１  ベルト本体
１１ａ  一端部
１２  表皮革
１３  裏皮革
１４  芯材
１５  紐状体
１６  バックル部材
【図１】
0003225616.tif 000003
【図２】
0003225616.tif 000004
【図３】
0003225616.tif 000005
【手続補正書】
【提出日】令和2年1月16日(2020.1.16)
【手続補正１】
【補正対象書類名】実用新案登録請求の範囲
【補正対象項目名】請求項３
【補正方法】変更
【補正の内容】
【請求項３】
前記裏皮革の表面にＰＶＣコーティングが施されていることを特徴とする請求項１または２のいずれか１項に記載の本革ベルト。